(57)【要約】【課題】開口部を広く取れる箱本体の開口枠部を設けた開口部を周枠部付きのカバーをネジ止めして施蓋する電気機器収納箱を提供する。【解決手段】箱本体１の開口枠部１２を設けた開口部１１を周枠部２１付きのカバー２をネジ止めして施蓋する電気機器収納箱において、カバー２の天板部２２のコーナ部に切欠部２３を形成したうえ該カバー２のコーナ部内側にネジ保持部材を設け、また、箱本体１の開口枠部１２のコーナ部外側に雌ねじ部５を設ける。【選択図】　　図１
2004103938.tif 000002
【特許請求の範囲】
【請求項１】
箱本体の開口枠部を設けた開口部を周枠部付きのカバーをネジ止めして施蓋する電気機器収納箱において、カバーの天板部のコーナ部に切欠部を形成したうえ該カバーのコーナ部内側にネジ保持部材を設け、また、箱本体の開口枠部のコーナ部外側に雌ねじ部を設けたことを特徴とする電気機器収納箱。
【発明の詳細な説明】
【０００１】
【発明の属する技術分野】
本発明は、箱本体の開口枠部を設けた開口部を周枠部付きのカバーをネジ止めして施蓋する電気機器収納箱に関するものである。
【０００２】
【従来の技術】
【非特許文献１】日東ボックスカタログ１９９７年１２月発行１２２頁ＫＬ形ターミナルボックス
【０００３】
従来のこの種電子機器収納用箱は、カバー１０５のコーナ部にネジ挿通孔１０６を透設しており、曲げ加工時にネジ挿通孔１０６の変形を防止する為、カバーの折り曲げ部から一定間隔離す必要があった。その為図８に示すように箱本体１０１の開口枠部１０２を周設した開口部１０３の内側にネジ止め部１０４を張設して、該ネジ止め部１０４にカバー１０５のコーナ部に透設したネジ挿通孔１０６から挿通したカバーネジ１０７を螺合させてカバー１０５を箱本体１０１にネジ止めして施蓋していた。
【０００４】
【発明が解決しようとする課題】
ところが、図８に示す従来のものは、開口部１０３の内側にネジ止め部１０４が出っ張っているため開口部１０３が狭くなり、機器取付ベース１０８も角部を切り欠いたものを使用しなければならず機器を取り付ける有効スペースが狭いものとなった。また、ネジ止め部１０４が機器取付作業の障害となるばかりでなく手指に当たり怪我をする虞もあった。さらに、カバー１０５の開口部１０３に対応する箇所にネジ挿通孔１０６を透設しているため防水性能に劣るという問題もあった。
【０００５】
【課題を解決するための手段】
前記の課題を解決するためになされた本発明の電気機器収納箱は、箱本体の開口枠部を設けた開口部を周枠部付きのカバーをネジ止めして施蓋する電気機器収納箱において、カバーの天板部のコーナ部に切欠部を形成したうえ該カバーのコーナ部内側にネジ保持部材を設け、また、箱本体の開口枠部のコーナ部外側に雌ねじ部を設けたことを特徴とするものである。
【０００６】
本発明によれば、カバーの天板部のコーナ部に切欠部が形成してあるうえ該カバーのコーナ部内側にはネジ保持部材が設けられているので、カバーネジはカバーのコーナ部の端に切欠部を介して挿通できるので、開口枠部を箱本体の外側近くに設置しても該開口枠部の外側にカバーネジを位置させることができるので開口部を広くとることができるものである。
【０００７】
【発明の実施の形態】
次に、本発明の第１の実施の形態を示す。
１は箱本体であり、該箱本体１は開口部１１の周縁に開口枠部１２を周設している。２はカバーネジ３によりネジ止めして箱本体１の開口部１１を施蓋する周枠部２１付きのカバーであり、該カバー２は天板部２２のコーナ部に周枠部２１に達する切欠部２３を形成したうえ該カバー２のコーナ部内側上部にネジ保持部材であるネジ保持金具４を張設している。すなわち、周枠部２１の角部に隣り合う枠板部２１ａ、２１ａとの間に斜めにネジ保持金具４を上端面が切欠部２３の枠板部２１ａ、２１ａの上端面と同一面となるように切欠部２３から臨むように張設してある。
【０００８】
また、前記箱本体１の開口枠部１２のコーナ部外側に雌ネジ部５が設けられている。この雌ネジ部５はネジ孔５１ａ付きの四角板状の雌ネジ本体５１の角部の隣り合う辺部に取付板部５２、５２を傾斜脚板部５３，５３を介して連設したものである。そして、雌ネジ本体５１の外側は箱本体１の外側と一致させてネジ孔５１ａを外よりになるように形成して各取付板部５２及び傾斜脚板部５３の外側は箱本体１の外側より前記カバー２の周枠部２１の厚みより内側に位置させている。そのため、前記カバー２の周枠部２１のコーナ部の下端に雌ネジ本体５１の外側が介入できる切欠部２１ｂが設けられている。
【０００９】
７は切欠部２３に挿通させたカバーネジ３がカバ−２を開蓋した際に脱落を防止するための合成樹脂よりなるネジ保持具であり、該ネジ保持具７は上端にネジ挿通孔７１を設けたネジ保持具本体７０に垂設した脚柱部７２、７２の下端に爪部７２ａ、７２ａを設けたものである。そして、該ネジ保持具７は、カバーネジ３を挿通したうえネジ保持具本体７０を切欠部２３の周枠部２１とネジ保持金具４の上端面に支持させるとともに爪部７２ａをネジ保持金具４の下端面に係止して取り付けられるものである。なお、このネジ保持具７を使用する場合はカバーネジ３をネジ部３ａが軸部３ｂより大径のものとして、ネジ保持具７のネジ挿通孔７１の径をネジ部３ａの径より微に小さくしてネジ部３ａが強制的に挿通できるが通常では抜け出ることのないものとすることは勿論である。
【００１０】
このように構成されたものは、カバー２の天板部２２のコーナ部に周枠部２１に達する切欠部２３を形成したうえ該カバー２のコーナ部内側にネジ保持金具４を設けたものであり、また、このカバー２により施蓋される箱本体１の開口枠部１２のコーナ部外側に雌ネジ部５を設けたものであるから、切欠部２３からカバーネジ３を挿通すればカバーネジ３のネジ頭部３ｃが切欠部２３のネジ保持金具４の上端面と周枠部２１の上端面に係止したうえネジ部３ａが雌ネジ部５に螺合してカバー２を箱本体１に施蓋してネジ止めするものである。
【００１１】
続いて、図６により本発明の第２の実施形態を説明する。
この実施形態では、カバーネジ３のネジ保持具を合成樹脂よりなる略Ｕ字状のネジ保持具としている。このネジ保持具８は下面に爪部８１、Ｕ字状の各先端に係合膨出部８２を設けたもので、カバーネジ３を切欠部２３に挿通し、横方向からネジ保持具８を嵌め込むとカバー２の天板部２２と周枠部２１の縁に係合膨出部８２が係合されるとともに、爪部８１が切欠部２３の周枠部２１に係合されて取り付けられるものである。なお、他の構成は第１の実施形態と同様である。
【００１２】
本発明によれば、カバーネジ３はカバー２の天板部２２のコーナ部に形成した周枠部２１に達する切欠部２３に臨む周枠部２１とネジ保持金具４の間を挿通させるものであるから、カバーネジ３はカバー２の最も外寄りに挿通できるのであるから、これによりカバーネジ３は箱本体１の外寄りに位置するので開口部１１の周縁に形成する開口枠部１２は箱本体１の外寄りに形成できるので同一サイズの箱にあって開口部１１を広く取ることができるものであり、内部機器取付スペースを広く取ることができるものである。特に、図示のようにカバー２の天板部２２と周枠部２１との境が湾曲状に連結されているものにあっては天板部２２にネジ挿通孔を設けるに比べより外寄りにカバーネジ３を挿通できるものである。
【００１３】
なお、切欠部２３の周枠部２１の上端面の天板部２２の表面からの深さをカバーネジ３のネジ頭部３ｃの高さ、また、ネジ保持具７、８を使用する場合にはネイ保持具本体７０、８０の厚さと前記カバーネジ３のネジ頭部３ｃの合計の高さより深くすることによりネジ頭部３ｃがカバー２の表面から突出しなくなるため、安全面・外観上でより優れたものとなる。
【００１４】
さらに、カバーネジ３に螺合する箱本体１の開口枠部１２のコーナ部外側に設けた雌ネジ部５をネジ孔５１ａ付きの四角板状の雌ネジ本体５１の角部の隣り合う辺部に取付板部５２、５２を傾斜脚板部５３，５３を介して連設したものとすることにより、雌ネジ本体５１の外側を箱本体１の外側と一致させてネジ孔５１ａを外寄りになるように形成できるものであるから、カバーネジ３を前記したように外寄りとすることができるものである。なお、前記したとおり各取付板部５２及び傾斜脚板部５３の外側は箱本体１の外側より前記カバー２の周枠部２１の厚みより内側に位置させることにカバー２の周枠部２１から露出することがなく外観もすっきりしたものとなり、また、箱本体１へカバー２を施蓋する際の位置決めとなるものである。
【００１５】
なお、第１と第２の実施形態ともに、切欠部２３はカバーから完全に欠除させたものとしたがこの他にも図７に示すように、カバー２のコーナ部の天井部２２に孔部を設け、対応する周枠部２１のコーナ部上部を切断して内側に凹ませてネジ保持部材として切欠部を形成してもよい。また、開口枠部を水切り枠部として防水仕様の電気機器収納用箱としてもよい。
【００１６】
【発明の効果】
以上に説明したように、本発明の電気機器収納箱は、カバーの天板部のコーナ部に切欠部を形成したうえ該カバーのコーナ部内側にネジ保持部材を設け、また、箱本体の開口枠部のコーナ部外側に雌ねじ部を設けたものであるから、カバーネジはカバーの天板部のコーナ部の周枠部とネジ保持部材の間を挿通させるものであるから、カバーネジは箱本体の外寄りに位置させることができるので開口部の周縁に形成する開口枠部を箱本体の外寄りに形成でき同一サイズの箱にあって開口部を広く取ることができるものであり、内部機器取付スペースを広く取ることができるものである。
よって、本発明は従来の電気機器収納箱の問題点を解決したもので、業界にもたらす益大なものである。
【図面の簡単な説明】
【図１】本発明の第１の実施形態を示す斜視図である。
【図２】本発明の第１の実施形態を態様を異にして示す斜視図である。
【図３】本発明の第１及び第２の実施形態に使用するカバーを示す図であり、（Ａ）は表面側から示す全体図、（Ｂ）は裏面側から示す全体図、（Ｃ）は要部の拡大図である。
【図４】本発明の第１の実施形態の要部を分解して示す斜視図である。
【図５】本発明の第１の実施形態の要部の断面図である。
【図６】本発明の第２の実施形態の要部を示す図であり、（Ａ）は分解して示す斜視図、（Ｂ）はネジ保持具を嵌め込んだ状態の斜視図、（Ｃ）はネジ保持具の下方からの斜視図である。
【図７】本発明の実施形態に使用するカバーの他例を示す図であり、（Ａ）は表面側から示す斜視図、（Ｂ）は表面側からネジ保持具を嵌め込んだ状態の斜視図、（Ｃ）は裏面側からネジ保持具を嵌め込んだ状態の斜視図である。
【図８】従来例を示す斜視図である。
【符号の説明】
１　箱本体
１１　開口部
１２　開口枠部
２　カバー
２１　周枠部
２２　天板部
２３　切欠部
４　ネジ保持金具
５　雌ネジ部
【図１】
2004103938.tif 000003
【図２】
2004103938.tif 000004
【図３】
2004103938.tif 000005
【図４】
2004103938.tif 000006
【図５】
2004103938.tif 000007
【図６】
2004103938.tif 000008
【図７】
2004103938.tif 000009
【図８】
2004103938.tif 000010